(57)【要約】【課題】複数の光学部品を所定のスペースに効率よく配置して、同時に表示する複数のコンテンツの視認性を高めつつ、美感などの視覚効果を得ることができるようにする。【解決手段】複数のコンテンツが１画面にレイアウトされた複合コンテンツを表示する表示パネル１４と、表示パネルの画面における複数のコンテンツの表示領域に入射面が対向配置されて、複数のコンテンツの映像を出射面に個別に表示する複数のプリズムと、表示パネルにおけるプリズムが配置された領域を除く画面領域を覆い隠す天板３３と、を備えたものとする。【選択図】図５
2018066259.tif 000002
【特許請求の範囲】
【請求項１】
コンテンツを表示する表示装置であって、
コンテンツを表示する表示パネルと、
前記表示パネルの画面における前記コンテンツの表示領域に入射面が対向配置されて、前記コンテンツの映像を出射面に表示するプリズムと、
前記表示パネルにおける前記プリズムが配置された領域を除く画面領域を覆い隠すマスク部材と、
を備えたことを特徴とする表示装置。
【請求項２】
前記表示パネルは、複数のコンテンツが１画面にレイアウトされた複合コンテンツを表示し、
複数の前記プリズムは、前記表示パネルの画面における複数の前記コンテンツの表示領域に入射面が対向配置されて、複数の前記コンテンツの映像を出射面に個別に表示することを特徴とする請求項１に記載の表示装置。
【請求項３】
前記表示パネルにおける前記コンテンツの表示領域が、前記プリズムの前記入射面より大きいことを特徴とする請求項１に記載の表示装置。
【請求項４】
前記表示パネルは、画面を上向きにして配置され、
前記プリズムは、前記出射面が垂直となるように設けられたことを特徴とする請求項１に記載の表示装置。
【請求項５】
複数の前記プリズムの一部は、他の前記プリズムより高い位置に配置されたことを特徴とする請求項４に記載の表示装置。
【請求項６】
前記プリズムは、１つの反射面を有する三角プリズムであり、
前記表示パネルは、前記コンテンツの正規の表示状態から反転させた像を表示することを特徴とする請求項１に記載の表示装置。
【請求項７】
前記表示パネル、前記プリズムおよび前記マスク部材は、前記表示パネルの画面に垂直となる方向の中心軸周りに回転可能に設けられ、
前記表示パネル、前記プリズムおよび前記マスク部材を回転させる駆動部を備えたことを特徴とする請求項１に記載の表示装置。
【請求項８】
前記マスク部材は、非マスク領域により前記表示パネルを光源として像を表示する固定表示部を備えたことを特徴とする請求項１に記載の表示装置。
【請求項９】
さらに、前記プリズムに対して、前記表示パネルから入射する光と平行とならない向きに光を入射させる照明部を備えたことを特徴とする請求項１に記載の表示装置。
【請求項１０】
コンテンツを表示する表示装置と、この表示装置に前記コンテンツを配信するサーバ装置とがネットワークを介して接続されるサイネージシステムであって、
前記サーバ装置は、
複数のコンテンツが１画面にレイアウトされた複合コンテンツを記憶する記憶部と、
前記複合コンテンツを前記表示装置に送信する通信部と、を備え、
前記表示装置は、
前記サーバ装置から送信される前記複合コンテンツを受信する通信部と、
前記複合コンテンツを表示する表示パネルと、
前記表示パネルの画面における複数の前記コンテンツの表示領域に入射面が対向配置されて、複数の前記コンテンツの映像を出射面に個別に表示する複数のプリズムと、
前記表示パネルにおける前記プリズムが配置された領域を除く画面領域を覆い隠すマスク部材と、を備えたことを特徴とするサイネージシステム。
【請求項１１】
複数のコンテンツが１画面にレイアウトされた複合コンテンツを表示する表示パネルと、
前記表示パネルの画面における複数の前記コンテンツの表示領域に入射面が対向配置されて、複数の前記コンテンツの映像を出射面に個別に表示する複数のプリズムと、
を備えた表示装置に表示させるコンテンツを、情報処理装置で生成するコンテンツ生成方法であって、
前記表示装置における前記表示パネルの画面サイズならびに前記プリズムの大きさおよび配置状況に関する構成情報を取得し、
前記構成情報に基づいて、画面上における前記コンテンツの表示サイズおよび表示位置を決定して、前記複合コンテンツを生成することを特徴とするコンテンツ生成方法。
【発明の詳細な説明】
【技術分野】
【０００１】
本開示は、コンテンツを表示する表示装置、サイネージシステムおよびコンテンツ生成方法に関するものである。
【背景技術】
【０００２】
美術館などの施設におけるエントランスホールなどには、施設の案内などのコンテンツの映像を表示する表示装置が設置されている。また、店舗には、商品の案内などのコンテンツの映像を表示する表示装置が設置されている。このような表示装置では、施設や商品の案内を適切に行う他に、付加的な機能として、人物に美感を起こさせたり強い印象を与えたりすることができると、利用者を楽しませたり広告効果を高めたりするなどの利点が得られる。【０００３】
このような表示装置の付加的な機能を高めることに関するものとして、従来、レンズを用いて、水平面に載置された表示物を側方から見ることができるようにした技術が知られている（特許文献１参照）。また、スピーカに、プリズムを使ったディスプレイを設けて、曲の題名やアルバム名などを空中に描かれているように表示させる技術が知られている（非特許文献１参照）。
【先行技術文献】
【特許文献】
【０００４】
【特許文献１】実用新案登録第３１４２２６４号公報
【非特許文献】
【０００５】
【非特許文献１】Bluetooth（登録商標）スピーカ「Gravity」、インターネット〈URL：http://japan.cnet.com/news/service/35082734/〉
【発明の概要】
【発明が解決しようとする課題】
【０００６】
前記従来の技術では、レンズやプリズムなどの光学部品を用いることで、独特な視覚効果が得られるため、人物に美感を起こさせたり強い印象を与えたりすることができ、利用者を楽しませたり広告効果を高めたりするなどの利点が得られる。【０００７】
さて、広告などのコンテンツの表示にあっては、表示装置に複数のコンテンツを同時に並行して表示することがしばしばある。例えば施設内の各フロアで開催されている催し物を案内するコンテンツを同時に並行して表示する場合がある。このような場合、プリズムなどの複数の光学部品を所定のスペースに効率よく配置して、各コンテンツの視認性を高めつつ、美感などの視覚効果が得られるものに構成することが望まれる。【０００８】
しかしながら、前記従来の技術では、表示装置に複数のコンテンツを同時に並行して表示する場合については何ら考慮されておらず、前記のような要望に応えることができるものではなかった。【０００９】
そこで、本開示は、複数の光学部品を所定のスペースに効率よく配置して、同時に表示する複数のコンテンツの視認性を高めつつ、美感などの視覚効果を得ることができる表示装置、サイネージシステムおよびコンテンツ生成方法を提供することを主な目的とする。
【課題を解決するための手段】
【００１０】
本開示の表示装置は、コンテンツを表示する表示装置であって、コンテンツを表示する表示パネルと、前記表示パネルの画面における前記コンテンツの表示領域に入射面が対向配置されて、前記コンテンツの映像を出射面に表示するプリズムと、前記表示パネルにおける前記プリズムが配置された領域を除く画面領域を覆い隠すマスク部材と、を備えた構成とする。【００１１】
また、本開示のサイネージシステムは、コンテンツを表示する表示装置と、この表示装置に前記コンテンツを配信するサーバ装置とがネットワークを介して接続されるサイネージシステムであって、前記サーバ装置は、複数のコンテンツが１画面にレイアウトされた複合コンテンツを記憶する記憶部と、前記複合コンテンツを前記表示装置に送信する通信部と、を備え、前記表示装置は、前記サーバ装置から送信される前記複合コンテンツを受信する通信部と、前記複合コンテンツを表示する表示パネルと、前記表示パネルの画面における複数の前記コンテンツの表示領域に入射面が対向配置されて、複数の前記コンテンツの映像を出射面に個別に表示する複数のプリズムと、前記表示パネルにおける前記プリズムが配置された領域を除く画面領域を覆い隠すマスク部材と、を備えた構成とする。【００１２】
また、本開示のコンテンツ生成方法は、複数のコンテンツが１画面にレイアウトされた複合コンテンツを表示する表示パネルと、前記表示パネルの画面における複数の前記コンテンツの表示領域に入射面が対向配置されて、複数の前記コンテンツの映像を出射面に個別に表示する複数のプリズムと、を備えた表示装置に表示させるコンテンツを、情報処理装置で生成するコンテンツ生成方法であって、前記表示装置における前記表示パネルの画面サイズならびに前記プリズムの大きさおよび配置状況に関する構成情報を取得し、前記構成情報に基づいて、画面上における前記コンテンツの表示サイズおよび表示位置を決定して、前記複合コンテンツを生成する構成とする。
【発明の効果】
【００１３】
本開示によれば、複数のプリズムを所定のスペースに効率よく配置して、同時に表示する複数のコンテンツの視認性を高めつつ、美感などの視覚効果を得ることができる。また、複数のコンテンツが連携したもので、複数のコンテンツを同期させて表示する必要がある場合でも、複合コンテンツを表示パネルに表示させることで、複数のコンテンツの表示タイミングを整合させる制御が不要になるため、表示パネルの制御が容易になる。
【図面の簡単な説明】
【００１４】
【図１】第１実施形態に係るサイネージシステムの全体構成図
【図２】第１実施形態に係る表示装置の概略構成を示すブロック図
【図３】第１実施形態に係るサーバ装置の概略構成を示すブロック図
【図４】第１実施形態に係る表示装置の斜視図
【図５】第１実施形態に係るプリズム表示体の斜視図
【図６】第１実施形態に係るプリズム表示体の平面図
【図７】第１実施形態に係るプリズム表示体の正面図
【図８】第１実施形態に係るプリズム表示体の側面図
【図９】第１実施形態に係るプリズム表示体の断面図
【図１０】第１実施形態に係る天板の平面図
【図１１】第１実施形態に係る表示パネルに複合コンテンツを表示させた状態を示す説明図
【図１２】第１実施形態に係るプリズム表示体の別の例を示す斜視図
【図１３】第１実施形態に係る表示パネルに表示される複合コンテンツの画面を示す説明図
【図１４】第１実施形態に係る表示装置１の変形例を示す斜視図
【図１５】第１実施形態に係るプリズム表示体の変形例を示す斜視図
【図１６】第２実施形態に係る表示装置の斜視図
【図１７】第２実施形態に係る表示装置の断面図
【図１８】第２実施形態に係るプリズム表示体の６面図
【図１９】第２実施形態に係るプリズム表示体の断面図
【図２０】第２実施形態に係るプリズム表示体の斜視図
【図２１】第２実施形態の変形例に係る表示装置の斜視図
【図２２】第２実施形態の変形例に係る表示装置の断面図
【図２３】第２実施形態の変形例に係るプリズム表示体の６面図
【図２４】第２実施形態の変形例に係るプリズム表示体の断面図
【図２５】第２実施形態の変形例に係るプリズム表示体の斜視図
【図２６】第２実施形態の別の変形例に係る表示装置の斜視図
【図２７】第２実施形態の別の変形例に係る表示装置の断面図
【図２８】第２実施形態の別の変形例に係るプリズム表示体の６面図
【図２９】第２実施形態の別の変形例に係るプリズム表示体の断面図
【図３０】第２実施形態の別の変形例に係るプリズム表示体の斜視図
【図３１】第３実施形態に係る表示装置の斜視図
【図３２】第３実施形態に係る表示装置の断面図
【図３３】第３実施形態に係るプリズムの６面図および断面図
【図３４】第３実施形態の変形例に係るプリズムの斜視図
【図３５】第３実施形態の変形例に係るプリズムの斜視図
【図３６】第３実施形態の変形例に係るプリズムの６面図および断面図
【図３７】第３実施形態の変形例に係るプリズムの６面図および断面図
【図３８】第３実施形態の変形例に係るプリズムの６面図および断面図
【図３９】第３実施形態の変形例に係るプリズムの６面図および断面図
【図４０】第３実施形態の変形例に係るプリズムの６面図および断面図
【図４１】第３実施形態に係るプリズムを用いた別構成の表示装置の斜視図
【図４２】第３実施形態の変形例に係る表示装置の斜視図
【図４３】第３実施形態の変形例に係る表示装置の斜視図
【図４４】第３実施形態の変形例に係る表示装置の斜視図
【図４５】第３実施形態の変形例に係る表示装置の斜視図
【図４６】第３実施形態の変形例に係る表示装置の斜視図
【図４７】第４実施形態に係る表示装置の斜視図
【図４８】第４実施形態に係る表示装置の断面図
【図４９】第４実施形態に係るプリズム表示体の６面図
【図５０】第４実施形態に係るプリズム表示体の断面図
【図５１】第４実施形態に係るプリズム表示体の斜視図
【図５２】第４実施形態の変形例に係る表示装置の斜視図
【図５３】第４実施形態の変形例に係る表示装置の斜視図
【図５４】第４実施形態の変形例に係るプリズム表示体の６面図
【図５５】第４実施形態の変形例に係るプリズム表示体の断面図
【図５６】第４実施形態の変形例に係るプリズム表示体の斜視図
【図５７】第４実施形態の変形例に係るプリズム表示体の６面図
【図５８】第４実施形態の変形例に係るプリズム表示体の断面図
【図５９】第４実施形態の変形例に係るプリズム表示体の斜視図
【図６０】第４実施形態の変形例に係るプリズム表示体の６面図
【図６１】第４実施形態の変形例に係るプリズム表示体の断面図
【図６２】第４実施形態の変形例に係るプリズム表示体の斜視図
【図６３】第４実施形態の変形例に係るプリズム表示体の６面図
【図６４】第４実施形態の変形例に係るプリズム表示体の断面図
【図６５】第４実施形態の変形例に係るプリズム表示体の斜視図
【図６６】第５実施形態に係る表示装置の斜視図
【図６７】第５実施形態に係る表示装置の断面図
【図６８】第５実施形態に係るプリズム表示体の６面図
【図６９】第５実施形態に係るプリズム表示体の断面図
【図７０】第５実施形態に係るプリズム表示体の斜視図
【図７１】第５実施形態の変形例に係る表示装置の斜視図
【図７２】第５実施形態の変形例に係るプリズム表示体の６面図
【図７３】第５実施形態の変形例に係るプリズム表示体の断面図
【図７４】第５実施形態の変形例に係るプリズム表示体の斜視図
【図７５】第５実施形態の別の変形例に係る表示装置の斜視図
【図７６】第５実施形態の別の変形例に係るプリズム表示体の６面図
【図７７】第５実施形態の別の変形例に係るプリズム表示体の断面図
【図７８】第５実施形態の別の変形例に係るプリズム表示体の斜視図
【図７９】第６実施形態に係る表示装置の正面図および断面図
【発明を実施するための形態】
【００１５】
前記課題を解決するためになされた第１の発明は、コンテンツを表示する表示装置であって、コンテンツを表示する表示パネルと、前記表示パネルの画面における前記コンテンツの表示領域に入射面が対向配置されて、前記コンテンツの映像を出射面に表示するプリズムと、前記表示パネルにおける前記プリズムが配置された領域を除く画面領域を覆い隠すマスク部材と、を備えた構成とする。
【００１６】
これによると、コンテンツの映像をプリズムの出射面に適切に表示させて、表示するコンテンツの視認性を高めつつ、美感などの視覚効果を得ることができる。
【００１７】
また、第２の発明は、前記表示パネルは、複数のコンテンツが１画面にレイアウトされた複合コンテンツを表示し、複数の前記プリズムは、前記表示パネルの画面における複数の前記コンテンツの表示領域に入射面が対向配置されて、複数の前記コンテンツの映像を出射面に個別に表示する構成とする。
【００１８】
これによると、複数のプリズムを所定のスペースに効率よく配置して、同時に表示する複数のコンテンツの視認性を高めつつ、美感などの視覚効果を得ることができる。また、複数のコンテンツが連携したもので、複数のコンテンツを同期させて表示する必要がある場合でも、複合コンテンツを表示パネルに表示させることで、複数のコンテンツの表示タイミングを整合させる制御が不要になるため、表示パネルの制御が容易になる。
【００１９】
また、第３の発明は、前記表示パネルにおける前記コンテンツの表示領域が、前記プリズムの前記入射面より大きい構成とする。
【００２０】
これによると、プリズムの成形誤差や組立誤差が原因で、プリズムの出射面上でのコンテンツの位置がずれる場合でも、出射面の外周部に映像が表示されない隙間が現れて美感が損なわれることを避けることができる。
【００２１】
また、第４の発明は、前記表示パネルは、画面を上向きにして配置され、前記プリズムは、前記出射面が垂直となるように設けられた構成とする。
【００２２】
これによると、表示装置をフロアに設置した場合に、表示装置の周囲にいる人物が、表示装置の側方からプリズムの映像を見ることができる。
【００２３】
また、第５の発明は、複数の前記プリズムの一部は、他の前記プリズムより高い位置に配置された構成とする。
【００２４】
これによると、各プリズムにより表示されるコンテンツの映像の視認性を向上させることができる。例えば、手前側に位置するプリズムを低い位置に配置し、奥側に位置するプリズムを高い位置に配置すると、奥側に位置するプリズムの視認性を向上させることができる。
【００２５】
また、第６の発明は、前記プリズムは、１つの反射面を有する三角プリズムであり、前記表示パネルは、前記コンテンツの正規の表示状態から反転させた像を表示する構成とする。
【００２６】
これによると、プリズムの出射面に正規の状態でコンテンツの映像を表示させることができる。
【００２７】
また、第７の発明は、前記表示パネル、前記プリズムおよび前記マスク部材は、前記表示パネルの画面に垂直となる方向の中心軸周りに回転可能に設けられ、前記表示パネル、前記プリズムおよび前記マスク部材を回転させる駆動部を備えた構成とする。
【００２８】
これによると、プリズムの回転に応じてプリズムの出射面の向きが徐々に変化するため、視覚効果をより一層高めることができる。
【００２９】
また、第８の発明は、前記マスク部材は、非マスク領域により前記表示パネルを光源として像を表示する固定表示部を備えた構成とする。
【００３０】
これによると、プリズムとは異なる視覚効果で文字、記号および図形などの像を表示することができる。
【００３１】
また、第９の発明は、さらに、前記プリズムに対して、前記表示パネルから入射する光と平行とならない向きに光を入射させる照明部を備えた構成とする。
【００３２】
これによると、照明部の光が出射される方向にいる人物が、照明部の光を視認することができる。これにより、例えば、背面から照明部の光を入射させると、正面からの誘目性を向上させることができる。また、照明部の光が表示パネルの光と平行でないため、照明部の光が、表示パネルによるコンテンツの映像に影響を及ぼすことを避けることができる。
【００３３】
また、第１０の発明は、コンテンツを表示する表示装置と、この表示装置に前記コンテンツを配信するサーバ装置とがネットワークを介して接続されるサイネージシステムであって、前記サーバ装置は、複数のコンテンツが１画面にレイアウトされた複合コンテンツを記憶する記憶部と、前記複合コンテンツを前記表示装置に送信する通信部と、を備え、前記表示装置は、前記サーバ装置から送信される前記複合コンテンツを受信する通信部と、前記複合コンテンツを表示する表示パネルと、前記表示パネルの画面における複数の前記コンテンツの表示領域に入射面が対向配置されて、複数の前記コンテンツの映像を出射面に個別に表示する複数のプリズムと、前記表示パネルにおける前記プリズムが配置された領域を除く画面領域を覆い隠すマスク部材と、を備えた構成とする。
【００３４】
これによると、第１の発明と同様に、複数のプリズムを所定のスペースに効率よく配置して、同時に表示する複数のコンテンツの視認性を高めつつ、美感などの視覚効果を得ることができる。また、複数のコンテンツが連携したもので、複数のコンテンツを同期させて表示する必要がある場合でも、複合コンテンツを表示パネルに表示させることで、複数のコンテンツの表示タイミングを整合させる制御が不要になるため、表示パネルの制御が容易になる。
【００３５】
また、第１１の発明は、複数のコンテンツが１画面にレイアウトされた複合コンテンツを表示する表示パネルと、前記表示パネルの画面における複数の前記コンテンツの表示領域に入射面が対向配置されて、複数の前記コンテンツの映像を出射面に個別に表示する複数のプリズムと、を備えた表示装置に表示させるコンテンツを、情報処理装置で生成するコンテンツ生成方法であって、前記表示装置における前記表示パネルの画面サイズならびに前記プリズムの大きさおよび配置状況に関する構成情報を取得し、前記構成情報に基づいて、画面上における前記コンテンツの表示サイズおよび表示位置を決定して、前記複合コンテンツを生成する構成とする。
【００３６】
これによると、表示パネルの画面サイズやプリズムの配置状況が異なる表示装置に適した複合コンテンツを効率よく生成することができる。
【００３７】
以下、実施の形態を、図面を参照しながら説明する。
【００３８】
（第１実施形態）
図１は、第１実施形態に係るサイネージシステムの全体構成図である。
【００３９】
このサイネージシステムは、表示装置１と、サーバ装置２とを備え、表示装置１とサーバ装置２とがネットワークを介して接続されている。このサイネージシステムでは、サーバ装置２からコンテンツの映像情報が表示装置１に配信され、表示装置１においてコンテンツの映像が表示される。
【００４０】
次に、表示装置１の概略構成について説明する。図２は、表示装置１の概略構成を示すブロック図である。
【００４１】
表示装置１は、通信部１１と、制御部１２と、記憶部１３と、表示パネル１４と、プリズム表示体１５と、を備えている。
【００４２】
通信部１１は、ネットワークを介してサーバ装置２との間で通信を行う。本実施形態では、サーバ装置２から送信されるコンテンツの映像情報を受信する。また、構成情報をサーバ装置２に送信する。この構成情報は、表示装置１の表示パネル１４およびプリズム表示体１５の構成に関するものである。
【００４３】
記憶部１３は、サーバ装置２から取得したコンテンツの映像情報や、構成情報や、制御部１２で実行されるプログラムを記憶する。
【００４４】
制御部１２は、プロセッサで構成され、記憶部１３に記憶されたプログラムを実行する。本実施形態では、記憶部１３からコンテンツの映像情報を取得して、表示パネル１４にコンテンツの映像を表示させる制御などが行われる。
【００４５】
表示パネル１４は、液晶表示パネルなどで構成され、サーバ装置２から取得したコンテンツの映像を表示する。本実施形態では、複数のコンテンツが１画面にレイアウトされた複合コンテンツが表示パネル１４に表示される。
【００４６】
プリズム表示体１５は、複数のプリズムなどで構成され、表示パネル１４に表示される複合コンテンツ内の各コンテンツの映像を複数のプリズムに個別に表示させて、独特の視覚効果が得られるようにしたものである。
【００４７】
次に、サーバ装置２の概略構成について説明する。図３は、サーバ装置２の概略構成を示すブロック図である。
【００４８】
サーバ装置２は、通信部２１と、制御部２２と、記憶部２３と、を備えている。
【００４９】
通信部２１は、ネットワークを介して表示装置１との間で通信を行う。本実施形態では、制御部２２で生成した複合コンテンツを表示装置１に送信する。また、表示装置１から送信される構成情報を受信する。
【００５０】
記憶部２３は、複合コンテンツの元になるコンテンツの映像情報や、制御部２２で生成した複合コンテンツの映像情報や、制御部２２で実行されるプログラムを記憶する。
【００５１】
制御部２２は、プロセッサで構成され、記憶部２３に記憶されたプログラムを実行する。本実施形態では、元になるコンテンツの映像情報を統合して複合コンテンツの映像情報を生成する。このとき、表示装置１から取得した構成情報に基づいて、画面上における各コンテンツの表示サイズおよび表示位置を決定して、複合コンテンツを生成する。
【００５２】
次に、表示装置１について説明する。図４は、表示装置１の斜視図である。
【００５３】
この表示装置１では、架台１６の上にプリズム表示体１５が設けられている。この表示装置１は、美術館や店舗などの施設においてエントランスホールなどのフロアに設置され、周囲を通る人物がプリズム表示体１５を見ることができるようにしたものである。架台１６の内部には、表示パネル１４が表示画面を上にした状態で収容されている。なお、表示パネル１４は、この例のように水平配置が一般的だが、傾斜配置して収容することも可能である。
【００５４】
次に、プリズム表示体１５について説明する。図５は、プリズム表示体１５の斜視図である。図６は、プリズム表示体１５の平面図である。図７は、プリズム表示体１５の正面図である。図８は、プリズム表示体１５の側面図である。図９は、図６に示すIX−IX線で切断したプリズム表示体１５の断面図である。
【００５５】
図９に示すように、プリズム表示体１５は、プリズム３１と、ブロック３２と、天板（マスク部材）３３と、保護透明板３４と、を備えている。
【００５６】
保護透明板３４は、表示パネル１４の上方に配置され、この保護透明板３４の上面にプリズム３１、ブロック３２および天板３３が配置される。この保護透明板３４は、プリズム３１、ブロック３２および天板３３の重量が表示パネルに直接作用しないように、プリズム３１、ブロック３２および天板３３を支持するものであり、強化ガラスなどで形成することができる。プリズム３１、ブロック３２、天板３３、保護透明板３４は接着剤で一体化するとよい。
【００５７】
天板３３は、アクリル樹脂などの透明な材料で形成されており、この天板３３の下面には、表示パネル１４におけるプリズム３１が配置された領域を除く画面領域を覆い隠すマスク層３５が形成されている。なお、天板３３を不透明の部材で構成することにより、マスク層の形成を省略することができる。
【００５８】
図５〜図８に示すように、プリズム表示体１５は複数のプリズム３１で構成される。図５〜図８に示す例では、プリズム表示体１５が８つのプリズム３１で構成される。
【００５９】
このプリズム表示体１５では、中心部に４つのプリズム３１が配置され、この中心部に配置された４つのプリズム３１を取り囲むように、外周部に４つのプリズム３１が配置されている。また、中心部に配置されたプリズム３１はブロック３２の上に載置され、外周部に配置されたプリズム３１より高い位置に配置されている。また、中心部に配置されたプリズム３１は幅狭に形成されており、外周部に配置されたプリズム３１は幅広に形成されている。
【００６０】
プリズム３１は、断面が直角二等辺三角形となる、いわゆる４５度直角プリズムである。このプリズム３１は、透明な材料、例えばアクリル樹脂で形成される。また、このプリズム３１は、注型または切削加工により形成することができる。
【００６１】
ブロック３２は、断面形状が方形をなす四角柱をなしている。このブロック３２の断面は、プリズム３１の下面（入射面）と同一の方形状に形成される。このブロック３２は、プリズム３１と同一の材料（例えばアクリル樹脂）で形成される。なお、ブロック３２をプリズム３１と一体的に形成して、断面形状が台形状をなすプリズムとしてもよい。
【００６２】
図９に示すように、プリズム３１は、表示パネル１４の上方に配置されるとともに、入射面４１が表示パネル１４の画面に対向するように配置されている。これにより、表示パネル１４から出射される光がプリズム３１の入射面４１に入射する。また、ブロック３２の上に載置されたプリズム３１はブロック３２を透過した光が入射面４１に入射する。入射面４１に入射した光は反射面４２で反射（全反射）され、出射面４３から出射される。これにより、表示パネル１４に表示されたコンテンツの虚像が出射面４３に現れる。
【００６３】
ここで、図５，図６に示すように、プリズム３１は出射面４３を外向きにして配置されている。具体的には、外周部に配置された４つのプリズム３１の各出射面４３の向きは、互いに直交する４方向に向けられており、中心部に配置された４つのプリズム３１の各出射面４３の向きも、互いに直交する４方向に向けられている。このため、表示装置１の周囲にいる人物は、２つ以上のプリズム３１の出射面４３に表示された像を視認することができる。
【００６４】
また、本実施形態では、中心部に配置されたプリズム３１はブロック３２の上に載置され、外周部に配置されたプリズム３１より高い位置に配置されており、表示装置１を見る人物から見て、手前側に位置するプリズム３１が低い位置に配置され、奥側に位置するプリズム３１が高い位置に配置されているため、手前側に位置するプリズム３１と奥側に位置するプリズム３１との両方の出射面４３に表示された像を同時に視認することができる。
【００６５】
また、プリズム３１およびブロック３２をアクリル樹脂で形成した場合、光がアクリル樹脂を透過することで、独特の趣のある像が出射面４３に現れる。さらに、枠がない出射面４３に像が表示されるため、美感を高める視覚効果が得られる。また、プリズム３１の側面にもコンテンツの映像の一部が現れ、プリズム表示体１５全体として、万華鏡のような視覚効果を得ることができる。
【００６６】
なお、本実施形態では、プリズム３１を、断面が直角二等辺三角形となる４５度直角プリズムとしたが、プリズム３１の形状はこれに限定されない。例えば、２つの頂角が異なる直角三角形の断面形状としてもよい。また、直角でない三角形の断面としてもよい。さらに、三角形以外の多角形の断面としてもよい。
【００６７】
また、本実施形態では、出射面４３が垂直な状態となるようにプリズム３１を設けたが、この出射面４３を垂直から傾斜させた状態としてもよい。
【００６８】
また、本実施形態では、反射面４２を４５度傾斜させた状態としたが、これに限定されない。ここで、反射面を４５度とすることで、表示パネル１４の表示映像を等倍でプリズム３１の出射面４３に表示することができるが、反射面４２を４５度から傾けると、１方向に拡大・縮小された映像が表示される。
【００６９】
また、本実施形態では、プリズム３１の出射面４３を４方向の外向きに配置して、周囲のどの位置からでもいずれかのプリズム３１の出射面４３を見ることができるようにしたが、プリズム３１の出射面４３を３方向や２方向に配置するようにしてよい。例えば、表示装置１が壁面に近接して設置される場合には、プリズム３１の出射面４３を、壁面側を除く３方向に配置するとよい。
【００７０】
また、本実施形態では、プリズム３１を低い位置と高い位置との２段に配置したが、プリズム３１を３段以上に配置することもできる。
【００７１】
また、本実施形態では、表示パネル１４に表示されるコンテンツの映像の光をプリズム３１の出射面４３から出射させて、プリズム３１の出射面４３にコンテンツの映像が現れるようにしたが、このプリズム３１の出射面４３から出射される光で可視光通信を行うようにしてもよい。この可視光通信は、例えば表示パネル１４のバックライトの制御で行うことができる。この可視光通信により、情報を提供するサイトのアドレスなどの所要の情報を含む通知信号を送信し、スマートフォンやタブレット端末などの携帯端末に設けられたカメラでプリズム３１の出射面４３を撮影することで、通知信号を携帯端末で受信することができる。また、可視光通信が行われるプリズム３１では、可視光通信を案内するコンテンツの映像を同時に表示するようにするとよい。
【００７２】
次に、天板３３について説明する。図１０は、天板３３の平面図である。
【００７３】
天板３３には、プリズム３１が配置される位置に窓孔５１が形成され、この窓孔５１にプリズム３１が挿入される。これにより、天板３３が、プリズム３１を位置決めするマウントとして機能する。
【００７４】
また、天板３３に形成されたマスク層３５は、表示パネル１４の有効表示領域５２の全体を覆うように、その有効表示領域５２より大きく形成されている。このマスク層３５により、表示パネル１４におけるプリズム３１が配置された領域を除く画面領域が覆い隠される。
【００７５】
また、天板３３には、固定表示部５５が設けられている。この固定表示部５５は、表示パネル１４を光源として像を表示するものである。具体的には、天板３３に形成されたマスク層３５を切り欠くことで、固定表示部５５に表示させる文字、記号および図形などの像の輪郭に対応する非マスク領域を形成する。この固定表示部５５には、変更する必要がないもの、例えば広告主の名称の文字やロゴマークなどを表示するようにするとよい。
【００７６】
この固定表示部５５では、光源となる表示パネル１４において固定表示部５５に対応する画面領域に所要の色を表示させることで、その色の像が固定表示部５５に表示され、表示パネル１４に表示させる色を変化させることで、固定表示部５５の色を変化させることができる。
【００７７】
なお、天板３３の表面を鏡面状に形成するようにしてもよい。これにより、プリズム３１の出射面４３に表示される像が反射して見えるようになり、視覚効果をより一層高めることができる。
【００７８】
次に、表示パネル１４について説明する。図１１は、表示パネル１４に複合コンテンツを表示させた状態を示す説明図である。
【００７９】
表示パネル１４には、複数のコンテンツが１画面にレイアウトされた複合コンテンツが表示される。また、各プリズム３１は、表示パネル１４における複数のコンテンツの表示領域６１にそれぞれ入射面４１を対向させた状態で配置されて、複数のコンテンツの表示領域６１の映像光が個別にプリズム３１に入射する。これにより、１つのコンテンツの映像が１つのプリズム３１の出射面４３に表示される。
【００８０】
ここで、同時に表示される複数のコンテンツは互いに独立したものであってもよいし、互いに連携したものであってもよい。例えば、同一のテーマに基づく複数のコンテンツを同期させて表示するようにしてもよい。このように、複合コンテンツの作り方次第で多様な表示を行うことができることから、視覚効果を高めることができる。
【００８１】
また、複数のコンテンツを同期して表示させる場合、その複数のコンテンツを別々の表示パネルで表示させる構成とすると、表示パネルにおいて、複数のコンテンツの間で表示タイミングを整合させる制御が必要になるが、本実施形態では、複数のコンテンツの間で表示タイミングが整合するように複合コンテンツを作成すれば、表示パネル１４では複合コンテンツを表示させるだけよく、複数のコンテンツのタイミング制御は必要ない。
【００８２】
また、各コンテンツは、プリズム３１の入射面４１より大きく表示される。ここで、プリズム３１の成形誤差や組立誤差が原因で、プリズム３１の出射面４３上でのコンテンツの位置がずれる場合がある。この場合、出射面４３の外周部に映像が表示されない隙間が現れて、美感が損なわれるが、各コンテンツの表示領域をプリズム３１の入射面４１より大きくすることで、プリズム３１の出射面４３の全体に映像を表示させることができるため、美感が損なわれることを避けることができる。
【００８３】
また、本実施形態では、プリズム３１が、１つの反射面４２を有する三角プリズムであるため、表示パネル１４で表示された像が反転した状態の鏡像が出射面４３に現れる。このため、表示パネル１４では、コンテンツの正規の表示状態から反転させた像を表示する。これにより、プリズム３１の出射面４３に正規の状態で像を表示させることができる。
【００８４】
なお、本実施形態では、天板３３のマスク層３５が、表示パネルにおけるプリズム３１が配置された領域を除く画面領域を覆い隠すように設けられるが、天板３３におけるプリズム３１が配置されない領域に、マスク層３５を切り欠いた非マスク領域を設けて、この非マスク領域を介して、表示パネル１４の映像を直接視認することができるようにしてもよい。
【００８５】
この場合、天板３３における映像を表示させる領域に窓孔を設けるようにしてもよいが、天板３３を透明なアクリル材料で形成して、マスク層３５を切り欠いた非マスク領域を設けるようにすると、表示パネル１４の映像がアクリル材料を透過するようになるため、プリズム３１の出射面４３に現れる映像と類似させることができることから、違和感を低減することができる。
【００８６】
次に、プリズム表示体１５の別の例について説明する。図１２は、プリズム表示体１５の別の例を示す斜視図である。図１３は、表示パネル１４に表示される複合コンテンツの画面を示す説明図である。
【００８７】
図５に示した例では、８つのプリズム３１でプリズム表示体１５を構成するようにしたが、図１２に示す例では、図５に示した例より画面サイズが小さい表示パネル１４が用いられ、図５に示した例で中心部に配置されていた幅狭の４つのプリズム３１でプリズム表示体１５が構成されている。
【００８８】
このように、同一の仕様のプリズム３１を用いて、プリズム３１の個数や配置状態が異なる様々な構成のプリズム表示体１５を構成することができる。また、仕様の異なる表示装置１でプリズム３１を共用することができるため、製造コストを低減することができる。
【００８９】
また、表示パネル１４の画面サイズが異なり、また、プリズム３１の個数や配置状態が異なると、複合コンテンツの画面上での各コンテンツの表示状態が変化する。すなわち、プリズム３１の個数が異なると、コンテンツの数が変化し、プリズム３１の配置位置が異なると、コンテンツの表示領域の位置が変化する。また、プリズム３１が同一サイズでも表示パネル１４の画面サイズが異なると、画面上におけるコンテンツの表示領域の大きさが変化する。
【００９０】
図１３（Ａ）に示す例は、図５に示したように、８つのプリズム３１からなるプリズム表示体１５の場合であり、図１３（Ｂ）に示す例は、図１２に示したように、４つのプリズム３１からなるプリズム表示体１５の場合である。図１３（Ｂ）に示す例では、図１３（Ａ）に示す例と比較して、表示パネル１４の画面に対してプリズム３１が相対的に大きくなるため、表示パネル１４の画面上でのコンテンツの表示領域６１が大きくなる。
【００９１】
このように、プリズム表示体１５の構成が異なると、複合コンテンツの画面上での各コンテンツの表示状態が変化する。このため、サーバ装置２では、配信先の表示装置１のプリズム表示体１５の構成に関する構成情報、具体的には、表示パネル１４の画面サイズならびにプリズム表示体１５の構成（プリズム３１の大きさおよび配置状況）に関する情報を取得して、その情報に基づいて、プリズム表示体１５の構成に応じた複合コンテンツを生成する。
【００９２】
（第１実施形態の変形例）
次に、第１実施形態の変形例について説明する。図１４は、表示装置１の変形例を示す斜視図である。
【００９３】
この表示装置１では、表示パネル１４およびプリズム表示体１５が、表示パネル１４の画面に垂直となる上下方向の中心軸周りに回転可能に設けられている。表示装置１の架台１６には、表示パネル１４およびプリズム表示体１５を回転させる駆動部７１が設けられている。この駆動部７１は、モータおよび減速機などで構成される。
【００９４】
このように構成された表示装置１では、プリズム表示体１５の回転に応じてプリズム３１の出射面４３の向きが徐々に変化するため、視覚効果をより一層高めることができる。
【００９５】
なお、この変形例では、表示装置１が、表示パネル１４の画面に垂直となる上下方向の中心軸周りに回転可能としたが、駆動部７１に回転軸の変動機構を設け、表示装置１が、ゆらぎながら旋回するように構成すると視覚効果を更に高めることができる。
【００９６】
（第１実施形態の別の変形例）
次に、第１実施形態の別の変形例について説明する。図１５は、プリズム表示体１５の変形例を示す斜視図である。
【００９７】
図１５（Ａ）に示す例では、２つのプリズム３１を組み合わせることで、２つの反射面４２を有する構成となっている。図１５（Ｂ）に示す例では、図１５（Ａ）に示す例と同様に、２つのプリズム３１を組み合わせることで、２つの反射面４２を有する構成となっているが、プリズム３１の一方が、図１５（Ａ）に示す例と反射面４２の向きが異なるように設けられている。
【００９８】
このような構成では、表示パネル１４に表示されるコンテンツの像が、２回の反射により２回反転するため、表示パネル１４では、コンテンツを正規の表示状態のままで表示すればよい。
【００９９】
なお、図４に示した例では、表示装置１をフロアに設置して、フロアに滞在する人物に表示装置１を見せるようにしたが、図１５（Ａ）に示した構成は、表示装置１を壁面に設置して、エレベータやエスカレータで昇降する人物に表示装置１を見せる場合に好適である。
【０１００】
なお、本実施形態では、図５、図１２、図１５にプリズムの配置状態が異なる例を示したが、プリズムの配置形態はこれらの例に限定されるものではなく、種々の配置形態が可能である。また、図４、図１４にフロアに設置する表示装置の例を示したが、表示装置はフロアに設置するものに限定されるものではなく、種々の設置形態が可能であり、例えば表示装置を壁面に設置するようにしてもよい。また、図５などに示したように、表示パネルの画面を覆うマスク部材として平らな天板を設けるようにしたが、マスク部材はこのような形態のものに限定されない。
【０１０１】
（第２実施形態）
次に、第２実施形態について説明する。なお、ここで特に言及しない点は前記の実施形態と同様である。図１６は、表示装置１０１の斜視図である。図１７は、表示装置１０１の断面図である。図１８は、プリズム表示体１０２の６面図（正面図、背面図、左側面図、右側面図、平面図および底面図）である。図１９は、プリズム表示体１０２の断面図である。図１９には、図１８（Ｃ）に示すＡ−Ａ'線、Ｂ−Ｂ'線、Ｃ−Ｃ'線、Ｄ−Ｄ'線で切断した断面図を示す。図２０は、プリズム表示体１０２の斜視図である。図２０（Ａ）に正面側から見た斜視図を示し、図２０（Ｂ）に背面側から見た斜視図を示す。
【０１０２】
図１６に示すように、本実施形態では、表示装置１０１に設けられたプリズム表示体１０２が、キューブ（正六面体）形状をなすプリズム１０３，１０４を縦横に並べて構成されている。また、表示装置１０１は、プリズム表示体１０２を筐体１１１に保持させた状態で、壁面に設置されるようになっている。
【０１０３】
図１７に示すように、筐体１１１の内部には、表示パネル１１２が表示画面を側方に向けた状態で収容されており、プリズム表示体１０２は、表示パネル１１２の側方に配置される。また、プリズム表示体１０２と表示パネル１１２との間には、保護透明板１１３（マスク部材）が設けられている。この保護透明板１１３には、表示パネル１１２におけるプリズム１０３，１０４が配置された領域を除く画面領域を覆い隠すマスク部１１４が設けられている。本実施形態では、プリズム表示体１０２の外側に対応する表示パネル１１２の画面領域の外周部が、マスク部１１４により覆われる。
【０１０４】
第２のプリズム１０４は、第１のプリズム１０３の半分の高さを有する。第１のプリズム１０３および第２のプリズム１０４は、正面視で同一寸法の正方形をなしている（図１８参照）。また、プリズム表示体１０２は、プリズム１０３，１０４の底面が接合される底板１０５を備えており、この底板１０５によりプリズム１０３，１０４が一体化される。底板１０５はプリズムと同様に透明材料で形成され、表示パネル１１２の光を透過する。
【０１０５】
図１９に示すように、プリズム表示体１０２では、底板１０５上に第１のプリズム１０３のみが所定間隔をおいて配列された列と、第１のプリズム１０３と第２のプリズム１０４とが交互に配列された列とが、交互に形成されており、第１のプリズム１０３および第２のプリズム１０４の有無により、プリズム表示体１０２では全体的に頂面の高さが３段階に変化する。すなわち、第１のプリズム１０３が配置された部分が最も高くなり、第２のプリズム１０４が配置された部分が中間の高さとなり、第１のプリズム１０３および第２のプリズム１０４のいずれも配置されずに底板１０５が露出する部分が最も低くなる。
【０１０６】
なお、本実施形態では、正面視で正方形状をなすプリズム表示体１０２に合わせて、正方形状をなす表示パネル１１２を設けるようにしたが、表示パネル１１２に、所定のアスペクト比（例えば１６対９）の長方形状をなすものを採用するようにしてもよい。この場合、プリズム表示体１０２を、表示パネル１１２の長手方向の中央に配置する他、端に寄せるようにしてもよい。また、プリズム表示体１０２が配置されていない表示パネル１１２の画面領域を覆うようにマスク部１１４を設ければよい。
【０１０７】
また、本実施形態では、表示装置１０１に１つのプリズム表示体１０２を配置するようにしたが、複数のプリズム表示体１０２を配置するようにしてもよい。この場合、プリズム表示体１０２が配置されていない表示パネル１１２の画面領域を覆うようにマスク部１１４を設ければよい。
【０１０８】
また、本実施形態では、プリズム表示体１０２に、プリズム１０３，１０４を支持する底板１０５を設けるようにしたが、この底板１０５を省略して、保護透明板１１３の上にプリズム１０３，１０４を直接配置するようにしてもよい。
【０１０９】
また、本実施形態では、高さが異なる２種類のプリズム１０３，１０４と底板１０５とにより、プリズム表示体１０２の頂面の高さが３段階に変化するようにしたが、高さの異なる３種類のプリズムを並べて、頂面の高さが３段階に変化するようにしてもよい。また、頂面の高さが４段階以上に変化するように構成することも可能である。
【０１１０】
また、本実施形態では、表示パネル１１２の映像を、プリズム表示体１０２を透過して表示させるようにしたが、保護透明板１１３の代わりに、画像を表示する表示板を設けて、表示器として構成することも可能である。
【０１１１】
（第２実施形態の変形例）
次に、第２実施形態の変形例について説明する。図２１は、表示装置１２１の斜視図である。図２２は、表示装置１２１の断面図である。図２３は、プリズム表示体１２２の６面図（正面図、背面図、左側面図、右側面図、平面図および底面図）である。図２４は、プリズム表示体１２２の断面図である。図２４には、図２３（Ｃ）に示すＡ−Ａ'線、Ｂ−Ｂ'線、Ｃ−Ｃ'線、Ｄ−Ｄ'線で切断した断面図を示す。図２５は、プリズム表示体１２２の斜視図である。図２５（Ａ）に正面側から見た斜視図を示し、図２５（Ｂ）に背面側から見た斜視図を示す。
【０１１２】
図２１に示すように、本変形例では、第２実施形態（図１６参照）と同様に、表示装置１２１に設けられたプリズム表示体１２２が、キューブ形状をなすプリズム１２３を縦横に並べて構成されているが、プリズム表示体１２２が、架台１３１の上に設けられ、プリズム表示体１２２の中心部に、展示する物品Ｅが載置される載置スペース１２６が形成されている。
【０１１３】
図２２に示すように、架台１３１の内部には、表示パネル１３２が表示画面を上方に向けた状態で収容されている。プリズム表示体１２２は、表示パネル１３２の上方に配置される。プリズム表示体１２２と表示パネル１３２との間には、保護透明板１３３（マスク部材）が設けられている。この保護透明板１３３には、表示パネル１３２におけるプリズム１２３が配置された領域を除く画面領域、具体的には、外周部を覆い隠すマスク部１３４が設けられている。
【０１１４】
プリズム表示体１２２は、プリズム１２３の底面が接合される底板１２５を備えており、この底板１２５によりプリズム１２３が一体化される。プリズム表示体２０２の載置スペース１２６には、プリズム１２３が配置されていない（図２３，図２４参照）。また、載置スペース１２６に対応する底板１２５の部分には、孔１２７が開設されており、展示する物品Ｅ（図２１参照）が、保護透明板１３３の上に直接載置される。
【０１１５】
なお、本変形例では、プリズム１２３の他に、第２実施形態（図１７参照）のように、高さが半分となるプリズム１０４がないため、プリズム表示体１２２では頂面の高さが２段階に変化する。
【０１１６】
また、本実施形態では、載置スペース１２６に対応する部分をマスク部１３４で覆わないようにしたが、載置スペース１２６に対応する部分をマスク部１３４で覆うようにしてもよい。
【０１１７】
（第２実施形態の別の変形例）
次に、第２実施形態の別の変形例について説明する。図２６は、表示装置１４１の斜視図である。図２７は、表示装置１４１の断面図である。図２８は、プリズム表示体１４２の６面図（正面図、背面図、左側面図、右側面図、平面図および底面図）である。図２９は、プリズム表示体１４２の断面図である。図２９には、図２８（Ｃ）に示すＡ−Ａ'線、Ｂ−Ｂ'線で切断した断面図を示す。図３０は、プリズム表示体１４２の斜視図である。図３０（Ａ）に正面側から見た斜視図を示し、図３０（Ｂ）に背面側から見た斜視図を示す。
【０１１８】
図２６に示すように、本変形例では、第２実施形態（図１６参照）と同様に、表示装置１４１に設けられたプリズム表示体１４２が、キューブ（正六面体）形状をなすプリズム１４３を縦横に並べて構成され、プリズム表示体１４２を筐体１５１に保持させた状態で、壁面に設置されるようになっているが、本変形例では、プリズム表示体１４２が、正面視で長方形をなしている。
【０１１９】
図２７に示すように、筐体１５１の内部には、表示パネル１５２が表示画面を側方に向けた状態で収容されており、プリズム表示体１４２は、表示パネル１５２の側方に配置される。表示パネル１５２は、所定のアスペクト比（例えば１６対９）の長方形状をなしており、プリズム表示体１４２は、表示パネル１５２のアスペクト比に対応する形状に形成されている。また、プリズム表示体１４２と表示パネル１５２との間には、保護透明板１５３（マスク部材）が設けられている。この保護透明板１５３には、表示パネル１５２におけるプリズム１４３が配置された領域を除く画面領域、具体的には、外周部を覆い隠すマスク部１３４が設けられている。
【０１２０】
なお、本変形例では、プリズム１４３の他に、第２実施形態（図１７参照）のように、高さが半分となるプリズム１０４がないため（図２８，図２９参照）、プリズム表示体１４２では頂面の高さが２段階に変化する。
【０１２１】
（第３実施形態）
次に、第３実施形態について説明する。なお、ここで特に言及しない点は前記の実施形態と同様である。図３１は、表示装置２０１の斜視図である。図３２は、表示装置２０１の断面図である。図３３は、プリズム２０３の６面図（正面図、背面図、左側面図、右側面図、平面図、底面図）、および断面図である。図３３（Ｇ）には、図３３（Ｃ）に示すＡ−Ａ'線で切断した断面図を示す。
【０１２２】
図３１に示すように、本実施形態では、表示装置２０１に設けられたプリズム表示体２０２が、扇形状をなすプリズム２０３を周方向に複数並べることで、全体として円形状をなすように構成されている。また、プリズム表示体２０２は、円柱状の架台２１１の上に設けられている。
【０１２３】
図３２に示すように、架台２１１の内部には、表示パネル２１２が表示画面を上方に向けた状態で収容されており、プリズム表示体２０２は、表示パネル２１２の上方に配置される。プリズム表示体２０２と表示パネル２１２との間には、保護透明板２１３（マスク部材）が設けられている。この保護透明板２１３には、表示パネル２１２におけるプリズム２０３が配置された領域を除く画面領域を覆い隠すマスク部２１４が設けられている。本実施形態では、表示パネル２１２の画面領域の外周部と、プリズム２０３が存在しない中心部とが、マスク部２１４により覆われている。
【０１２４】
なお、プリズム表示体２０２が円形状をなすことから、表示パネル２１２に円形状をなすものを採用するとよい。また、表示パネル２１２に矩形状をなすものを採用して、円形状をなすプリズム表示体２０２に対応するように、プリズム表示体２０２の外側の画面領域をマスク部２１４で覆うようにしてもよい。
【０１２５】
図３３に示すように、プリズム２０３は、中心側を切り欠いた扇形状をなす底面２２１と、円柱状をなす外周面２２２と、円錐状をなす傾斜面２２３と、三角形状をなす側面２２４と、を有している。
【０１２６】
プリズム２０３は、底面２２１（入射面）が表示パネル２１２の画面に対向するように配置されている（図３２参照）。これにより、表示パネル２１２から出射される光がプリズム２０３の底面２２１に入射し、その光が傾斜面２２３で反射されて、外周面２２２から出射される。これにより、表示パネル２１２の映像が外周面２２２に現れる。
【０１２７】
本実施形態では、プリズム２０３の底面２２１が、扇形の中心角（内角）が９０度をなすように形成され、４つのプリズム２０３を周方向に並べることで、全体として円形状に構成され、４つのプリズム２０３の各外周面２２２が全体として３６０度の表示画面を形成する。このため、４つのプリズム２０３の外周面２２２に、表示パネル２１２の映像が周方向に回転するように表示することもできる。
【０１２８】
（第３実施形態の変形例）
次に、第３実施形態の変形例について説明する。図３４、図３５は、第３実施形態の変形例に係るプリズム２０３の斜視図である。図３６、図３７、図３８、図３９、図４０は、第３実施形態の変形例に係るプリズム２０３の６面図（正面図、背面図、左側面図、右側面図、平面図、底面図）、および断面図である。
【０１２９】
なお、図３６、図３７、図３８、図３９、図４０にそれぞれ示す６面図および断面図は、図３４（Ｂ）、図３４（Ｃ）、図３５（Ａ）、図３５（Ｂ）、図３５（Ｃ）にそれぞれ示すプリズム２０３に関するものである。
【０１３０】
図３４に示す例は、扇形の中心角（内角）が異なっている。図３４（Ａ）に示す例は、第３実施形態で示したプリズム２０３であり、扇形の中心角が９０度をなしている。図３４（Ｂ）に示す例は、扇形の中心角が１２０度をなしている。図３４（Ｃ）に示す例は、扇形の中心角が１８０度をなしている。
【０１３１】
図３５に示す例は、外径Ｒ１と内径Ｒ２との比率が、図３１に示した例と異なっている（図３３（Ｆ），図３８（Ｆ）参照）。図３５（Ａ）に示す例は、図３４（Ａ）に示す例と同様に、扇形の中心角が９０度をなしている。図３５（Ｂ）に示す例は、図３４（Ｂ）に示す例と同様に、扇形の中心角が１２０度をなしている。図３５（Ｃ）に示す例は、図３４（Ｃ）に示す例と同様に、扇形の中心角が１８０度をなしている。
【０１３２】
次に、第３実施形態に係るプリズムを用いた表示装置の別例について説明する。図４１は、第３実施形態に係るプリズムを用いた別構成の表示装置の斜視図である。
【０１３３】
図４１（Ａ）に示す例では、表示装置２３１に設けられたプリズム表示体２３２が、中心角が９０度をなす１つの扇形状のプリズム２０３で構成されており、プリズム表示体２３２が、棚板状をなす架台２３３の上に設けられ、表示装置２３１が、コーナー、すなわち、直角をなす２つの壁面に設置されるようになっている。
【０１３４】
図４１（Ｂ）に示す例では、表示装置２４１に設けられたプリズム表示体２４２が、中心角が９０度をなす２つの扇形状のプリズム２０３で構成されており、プリズム表示体２４２が、半円柱状の架台２４３の上に設けられ、表示装置２４１が、壁面に沿う状態で、フロア上に設置されるようになっている。
【０１３５】
次に、第３実施形態の変形例に係るプリズムを用いた表示装置について説明する。図４２は、図３４（Ｂ）に示したプリズムを用いた表示装置の斜視図である。図４３は、図３４（Ｃ）に示したプリズムを用いた表示装置の斜視図である。図４４は、図３５（Ａ）に示したプリズムを用いた表示装置の斜視図である。図４５は、図３５（Ｂ）に示したプリズムを用いた表示装置の斜視図である。図４６は、図３５（Ｃ）に示したプリズムを用いた表示装置の斜視図である。
【０１３６】
図４２に示す例は、図３４（Ｂ）に示したように、中心角が１２０度をなすプリズム２０３を用いた場合であり、３つのプリズム２０３を周方向に並べることで、図３１に示した例と同様に、３６０度の表示面を有する構成とすることができる。
【０１３７】
図４３に示す例は、図３４（Ｃ）に示したように、中心角が１８０度をなすプリズム２０３を用いた場合であり、図４３（Ａ）に示すように、１つのプリズム２０３を用いることで、図３９（Ｂ）に示した例と同様に、１８０度の表示面を有する構成とすることができる。また、図４３（Ｂ）に示すように、２つのプリズム２０３を周方向に並べることで、３６０度の表示面を有する構成とすることができる。
【０１３８】
図４４に示す例は、図３５（Ａ）に示したように、中心角が９０度をなすプリズム２０３を用いた場合であり、図４４（Ａ）に示すように、１つのプリズム２０３を用いることで、９０度の表示面を有する構成とすることができる。また、図４４（Ｂ）に示すように、４つのプリズム２０３を周方向に並べることで、３６０度の表示面を有する構成とすることができる。また、図４４（Ｃ）に示すように、２つのプリズム２０３を周方向に並べることで、１８０度の表示面を有する構成とすることができる。
【０１３９】
図４５に示す例は、図３５（Ｂ）に示したように、中心角が１２０度をなすプリズム２０３を用いた場合であり、３つのプリズム２０３を周方向に並べることで、３６０度の表示面を有する構成とすることができる。
【０１４０】
図４６に示す例は、図３５（Ｃ）に示したように、中心角が１８０度をなすプリズム２０３を用いた場合であり、図４６（Ａ）に示すように、１つのプリズム２０３を用いることで、１８０度の表示面を有する構成とすることができる。また、図４６（Ｂ）に示すように、２つのプリズム２０３を周方向に並べることで、３６０度の表示面を有する構成とすることができる。
【０１４１】
なお、本実施形態では、複数の扇形状をなすプリズム２０３を周方向に並べるようにしたが、大きさが異なる複数種類のプリズム２０３を積み重ねるように配置する構成としてもよい。
【０１４２】
（第４実施形態）
次に、第４実施形態について説明する。なお、ここで特に言及しない点は前記の実施形態と同様である。図４７は、表示装置３０１の斜視図である。図４８は、表示装置３０１の断面図である。図４９は、プリズム表示体３０２の６面図（正面図、背面図、左側面図、右側面図、平面図および底面図）である。図５０は、プリズム表示体３０２の断面図である。この図５０には、図４９（Ａ），（Ｃ）に示すＡ−Ａ'線、Ｂ−Ｂ'線、Ｃ−Ｃ'線で切断した断面図を示す。図５１は、プリズム表示体３０２の斜視図である。図５１（Ａ）に正面側から見た斜視図を示し、図５１（Ｂ）に背面側から見た斜視図を示す。
【０１４３】
図４７に示すように、本実施形態では、表示装置３０１に設けられたプリズム表示体３０２が、三角板状をなす複数のプリズム３０３を一方向に並べて構成されている。本実施形態では、プリズム表示体３０２が、５つのプリズム３０３で構成される。また、隣り合うプリズム３０３の間には間隙が形成されている。この表示装置３０１は、プリズム表示体３０２を架台３１１の上に保持させた状態で、フロア上に設置されるようになっている。
【０１４４】
図４８に示すように、架台３１１の内部には、表示パネル３１２が表示画面を上方に向けた状態で収容されており、プリズム表示体３０２は、表示パネル３１２の上方に配置される。また、プリズム表示体３０２と表示パネル３１２との間には、保護透明板３０５（マスク部材）が設けられている。この保護透明板３０５には、表示パネル３１２におけるプリズム３０３が配置された領域を除く画面領域を覆い隠すマスク部３１４が設けられている。本実施形態では、プリズム表示体３０２の外側に対応する表示パネル３１２の画面領域の外周部がマスク部３１４により覆われる。また、隣り合うプリズム３０３の間の間隙に対応する部分もマスク部３１４により覆われる。
【０１４５】
また、この表示装置３０１では、長方形状をなす表示パネル３１２の短辺方向にプリズム３０３が配列されている（図４７参照）。
【０１４６】
図４９、図５０に示すように、プリズム３０３は、長方形状をなす底面３２１と、長方形状をなす前面３２２と、長方形状をなす傾斜面３２３と、直角三角形状をなす側面３２４と、を有している。プリズム表示体３０２は、プリズム３０３の底面３２１が接合される底板３０５を備えており、この底板３０５によりプリズム３０３が一体化される。この底板３０５は、プリズム３０３と同様に、透明な材料で形成され、表示パネル３１２の光を透過する。
【０１４７】
なお、本実施形態では、プリズム３０３の底面３２１が接合される底板３０５を設けるようにしたが、この底板３０５を省略して、プリズム３０３を直接、保護透明板３０５の上に配置するようにしてもよい。
【０１４８】
（第４実施形態の変形例）
次に、第４実施形態の変形例について説明する。図５２、図５３は、表示装置３３１，３４１，３５１，３６１の斜視図である。図５４は、図５２（Ａ）に示すプリズム表示体の６面図である。図５５は、図５２（Ａ）に示すプリズム表示体の断面図である。図５６は、図５２（Ａ）に示すプリズム表示体の斜視図である。図５７は、図５２（Ｂ）に示すプリズム表示体の６面図である。図５８は、図５２（Ｂ）に示すプリズム表示体の断面図である。図５９は、図５２（Ｂ）に示すプリズム表示体の斜視図である。図６０は、図５２（Ｃ）に示すプリズム表示体の６面図である。図６１は、図５２（Ｃ）に示すプリズム表示体の断面図である。図６２は、図５２（Ｃ）に示すプリズム表示体の斜視図である。図６３は、図５３に示すプリズム表示体の６面図である。図６４は、図５３に示すプリズム表示体の断面図である。図６５は、図５３に示すプリズム表示体の斜視図である。
【０１４９】
図５２（Ａ）に示す例では、第４実施形態（図４７参照）と同様に、表示装置３３１に設けられたプリズム表示体３３２が、５つのプリズム３３３で構成されているが、本変形例では、隣り合うプリズム３３３の側面が接しており、第４実施形態のように間隙が形成されていない。プリズム３３３自体は第４実施形態と同様である。
【０１５０】
図５２（Ｂ）に示す例では、表示装置３４１に設けられたプリズム表示体３４２が、４つのプリズム３４３で構成され、第４実施形態（図４７参照）と比較すると、プリズム３４３の個数が減った分だけ、プリズム３４３の厚さが第４実施形態より大きくなっている。例えば、第４実施形態に対して厚さが５／４となる。
【０１５１】
図５２（Ｃ）に示す例では、表示装置３５１に設けられたプリズム表示体３５２が、６つのプリズム３５３で構成され、第４実施形態（図４７参照）と比較すると、プリズム３５３の個数が増えた分だけ、プリズム３５３の厚さが第４実施形態より小さくなっている。例えば、第４実施形態に対して厚さが２／３となる。
【０１５２】
図５３に示す例では、表示装置３６１に設けられたプリズム表示体３６２が、９つのプリズム３６３で構成される。このプリズム３６３は、表示装置３６１に設けられた長方形状をなす表示パネル（図示せず）の長辺方向に配列されている。プリズム３６３の厚さは第４実施形態（図４７参照）と同様である。
【０１５３】
（第５実施形態）
次に、第５実施形態について説明する。なお、ここで特に言及しない点は前記の実施形態と同様である。図６６は、表示装置４０１の斜視図である。図６７は、表示装置４０１の断面図である。図６８は、プリズム表示体４０２の６面図（正面図、背面図、左側面図、右側面図、平面図および底面図）である。図６９は、プリズム表示体４０２の断面図である。図６９には、図６８（Ｃ）に示すＡ−Ａ'線、Ｂ−Ｂ'線、Ｃ−Ｃ'線で切断した断面図を示す。図７０は、プリズム表示体４０２の斜視図である。図７０（Ａ），（Ｂ）には、異なる２方向から見た斜視図を示す。
【０１５４】
図６６に示すように、本実施形態では、第２実施形態（図１６参照）と同様に、表示装置４０１に設けられたプリズム表示体４０２が、キューブ形状をなすプリズム４０３，４０４を縦横に並べて構成されている。また、第２実施形態の変形例（図２１参照）と同様に、プリズム表示体４０２が、架台４１１の上に設けられているが、本実施形態では、展示する物品Ｅが載置されるステージ４０６が複数（２つ）設けられている。このステージ４０６の載置面は、プリズム４０３，４０４の上面より高い位置に形成されている。
【０１５５】
図６７に示すように、架台４１１の内部には、表示パネル４１２が表示画面を上方に向けた状態で収容されており、プリズム表示体４０２は、表示パネル４１２の上方に配置される。プリズム表示体４０２と表示パネル４１２との間には、保護透明板４１３（マスク部材）が設けられている。この保護透明板４１３には、表示パネル４１２におけるプリズム４０３，４０４が配置された領域を除く画面領域、具体的には、外周部を覆い隠すマスク部４１４が設けられている。
【０１５６】
ステージ４０６は、プリズム４０３，４０４と同様に、透明な材料で形成され、表示パネル４１２の光を透過する。ステージ４０６の下部には凸部４０７が形成されており、この凸部４０７が、プリズム４０３，４０４の間の凹部に嵌まり合うようになっている。
【０１５７】
このステージ４０６には、香水などを収容したガラス容器、宝飾品や時計など、透明な材料や、光を反射する材料で形成された物品Ｅ（図６６参照）を載置するとよい。これにより、表示パネル４１２の光が物品Ｅを透過したり、物品Ｅで反射されたりすることで、美感などの視覚効果を高めることができる。
【０１５８】
図６８，図６９に示すように、第２のプリズム４０４は、第１のプリズム１０３の半分の高さを有しており、第１のプリズム４０３と第２のプリズム４０４とは交互に配列されている。
【０１５９】
なお、本実施形態では、プリズム４０３，４０４が保護透明板４１３の上に直接配置されているが、プリズム４０３，４０４の底面が接合される底板を設けるようにしてもよい。
【０１６０】
（第５実施形態の変形例）
次に、第５実施形態の変形例について説明する。図７１は、表示装置４２１の斜視図である。図７２は、プリズム表示体４２２の６面図（正面図、背面図、左側面図、右側面図、平面図および底面図）である。図７３は、プリズム表示体４２２の断面図である。図７３には、図７２（Ｃ）に示すＡ−Ａ'線、Ｂ−Ｂ'線で切断した断面図を示す。図７４は、プリズム表示体４２２の斜視図である。
【０１６１】
図７１、図７２に示すように、本変形例では、第５実施形態（図６６参照）と同様に、表示装置４２１に設けられたプリズム表示体４２２に、展示する物品Ｅが載置されるステージ４２３が設けられているが、本変形例では、プリズム表示体４２２の中央にステージ４２３が１つ設けられている。
【０１６２】
図７３に示すように、プリズム表示体４２２は、ステージ４２３の他に、高さが異なる５種類の角柱状のプリズム４２５〜４２９で構成される。このプリズム４２５〜４２９は、第１のプリズム４２５、第２のプリズム４２６、第３のプリズム４２７、第４のプリズム４２８、第５のプリズム４２９の順で高さが低くなるように形成されている。また、プリズム４２５〜４２９は、中央のステージ４２３に向かって階段状に高くなるように配置される。なお、プリズム４２５〜４２９は保護透明板４３３の上に直接配置されている。
【０１６３】
（第５実施形態の別の変形例）
次に、第５実施形態の別の変形例について説明する。図７５は、表示装置４４１の斜視図である。図７６は、プリズム表示体４４２の６面図（正面図、背面図、左側面図、右側面図、平面図および底面図）である。図７７は、プリズム表示体４４２の断面図である。図７７には、図７６（Ｃ）に示すＡ−Ａ'線、Ｂ−Ｂ'線、Ｃ−Ｃ'線で切断した断面図を示す。図７８は、プリズム表示体４４２の斜視図である。図７８（Ａ），（Ｂ），（Ｃ），（Ｄ）には、異なる４方向から見た斜視図を示す。
【０１６４】
図７５、図７６に示すように、本変形例では、第５実施形態（図６６参照）と同様に、表示装置４４１に設けられたプリズム表示体４４２に、展示する物品Ｅが載置されるステージ４４３が設けられているが、本変形例では、ステージ４４３が４つ設けられている。また、ステージ４４３は、複数（４つ）の角柱状のプリズム４４５で構成されている。
【０１６５】
図７７に示すように、プリズム表示体４４２は、第５実施形態（図６６参照）と同様に、高さが異なる２種類のプリズム４４６，４４７で構成される。一方のプリズム４４７は、他方のプリズム４４６の半分の高さを有する。ステージ４４３を構成するプリズム４４５は、上面視で他のプリズム４４６，４４７と同一寸法の正方形状をなしている。なお、プリズム４４５〜４４７は保護透明板４５３の上に直接配置されている。
【０１６６】
（第６実施形態）
次に、第６実施形態について説明する。なお、ここで特に言及しない点は前記の実施形態と同様である。図７９は、第６実施形態に係る表示装置５０１の正面図および断面図である。図７９（Ｂ）には、図７９（Ａ）に示すＡ−Ａ'線で切断した断面図を示す。
【０１６７】
図７９（Ａ）に示すように、本実施形態では、表示装置５０１に設けられたプリズム表示体５０２に対して背面（後側の側面）から光を当てる照明部５０３が設けられている。図７９（Ｂ）に示すように、照明部５０３は、ＬＥＤなどからなる光源５０４を備え、この光源５０４が発する光が、プリズム表示体５０２の側面に入射し、プリズム表示体５０２の内部を透過して、プリズム表示体５０２の正面（前側の側面）から出射される。これにより、利用者は、照明部５０３の光を遠くから視認することができ、利用者を引きつける誘目性を得ることができる。
【０１６８】
一方、プリズム表示体５０２の下方に配置された表示パネル５０５には、物品を解説するコンテンツなどの映像が表示されるが、この表示パネル５０５の光は、プリズム表示体５０２の底面に入射し、プリズム表示体５０２の内部を透過して、プリズム表示体５０２の上面から出射される。これにより、利用者は、表示パネル５０５による映像を斜め上方から視認することができる。このとき、表示パネル５０５の光と照明部５０３の光とは直交する方向に進むため、表示パネル５０５による映像は、照明部５０３の光に影響されない。
【０１６９】
また、照明部５０３の光で可視光通信を行うようにしてもよい。この場合、この可視光通信により、情報を提供するサイトのアドレスなどの所要の情報を含む通知信号が重畳された光が、プリズム表示体５０２の正面（前側の側面）から出射されることから、携帯端末に設けられたカメラでプリズム表示体５０２の正面を撮影することで、通知信号を携帯端末で受信することができる。
【０１７０】
なお、本実施形態では、プリズム表示体５０２を、第５実施形態の変形例に係るプリズム表示体（図７１参照）と同一構成のものとしたが、プリズム表示体５０２はこれに限定されるものではなく、他の構成のプリズム表示体、例えば、第５実施形態に係るプリズム表示体４０２（図６６参照）や、第５実施形態の変形例に係るプリズム表示体４４２（図７５参照）を用いるようにしてもよい。さらに、第２実施形態に係るプリズム表示体１０２（図１６参照）や、第２実施形態の変形例に係るプリズム表示体１２２，１４２（図２１，図２６参照）を用いるようにしてもよい。
【０１７１】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【産業上の利用可能性】
【０１７２】
本発明に係る表示装置、サイネージシステムおよびコンテンツ生成方法は、複数の光学部品を所定のスペースに効率よく配置して、同時に表示する複数のコンテンツの視認性を高めつつ、美感などの視覚効果を得ることができる効果を有し、コンテンツを表示する表示装置、サイネージシステムおよびコンテンツ生成方法などとして有用である。
【符号の説明】
【０１７３】
１  表示装置
２  サーバ装置
１４  表示パネル
１５  プリズム表示体
３１  プリズム
３２  ブロック
３３  天板
３４  保護透明板
３５  マスク層
４１  入射面
４２  反射面
４３  出射面
５１  窓孔
５２  有効表示領域
５５  固定表示部
６１  表示領域
７１  駆動部
５０３  照明部
【図１】
2018066259.tif 000003
【図２】
2018066259.tif 000004
【図３】
2018066259.tif 000005
【図４】
2018066259.tif 000006
【図５】
2018066259.tif 000007
【図６】
2018066259.tif 000008
【図７】
2018066259.tif 000009
【図８】
2018066259.tif 000010
【図９】
2018066259.tif 000011
【図１０】
2018066259.tif 000012
【図１１】
2018066259.tif 000013
【図１２】
2018066259.tif 000014
【図１３】
2018066259.tif 000015
【図１４】
2018066259.tif 000016
【図１５】
2018066259.tif 000017
【図１６】
2018066259.tif 000018
【図１７】
2018066259.tif 000019
【図１８】
2018066259.tif 000020
【図１９】
2018066259.tif 000021
【図２０】
2018066259.tif 000022
【図２１】
2018066259.tif 000023
【図２２】
2018066259.tif 000024
【図２３】
2018066259.tif 000025
【図２４】
2018066259.tif 000026
【図２５】
2018066259.tif 000027
【図２６】
2018066259.tif 000028
【図２７】
2018066259.tif 000029
【図２８】
2018066259.tif 000030
【図２９】
2018066259.tif 000031
【図３０】
2018066259.tif 000032
【図３１】
2018066259.tif 000033
【図３２】
2018066259.tif 000034
【図３３】
2018066259.tif 000035
【図３４】
2018066259.tif 000036
【図３５】
2018066259.tif 000037
【図３６】
2018066259.tif 000038
【図３７】
2018066259.tif 000039
【図３８】
2018066259.tif 000040
【図３９】
2018066259.tif 000041
【図４０】
2018066259.tif 000042
【図４１】
2018066259.tif 000043
【図４２】
2018066259.tif 000044
【図４３】
2018066259.tif 000045
【図４４】
2018066259.tif 000046
【図４５】
2018066259.tif 000047
【図４６】
2018066259.tif 000048
【図４７】
2018066259.tif 000049
【図４８】
2018066259.tif 000050
【図４９】
2018066259.tif 000051
【図５０】
2018066259.tif 000052
【図５１】
2018066259.tif 000053
【図５２】
2018066259.tif 000054
【図５３】
2018066259.tif 000055
【図５４】
2018066259.tif 000056
【図５５】
2018066259.tif 000057
【図５６】
2018066259.tif 000058
【図５７】
2018066259.tif 000059
【図５８】
2018066259.tif 000060
【図５９】
2018066259.tif 000061
【図６０】
2018066259.tif 000062
【図６１】
2018066259.tif 000063
【図６２】
2018066259.tif 000064
【図６３】
2018066259.tif 000065
【図６４】
2018066259.tif 000066
【図６５】
2018066259.tif 000067
【図６６】
2018066259.tif 000068
【図６７】
2018066259.tif 000069
【図６８】
2018066259.tif 000070
【図６９】
2018066259.tif 000071
【図７０】
2018066259.tif 000072
【図７１】
2018066259.tif 000073
【図７２】
2018066259.tif 000074
【図７３】
2018066259.tif 000075
【図７４】
2018066259.tif 000076
【図７５】
2018066259.tif 000077
【図７６】
2018066259.tif 000078
【図７７】
2018066259.tif 000079
【図７８】
2018066259.tif 000080
【図７９】
2018066259.tif 000081
【国際調査報告】
2018066259.tif 000082
2018066259.tif 000083
2018066259.tif 000084
2018066259.tif 000085